(57)【要約】【課題】複数種の光記録媒体に対し高光利用効率及びトラッキング時の波面収差の劣化を抑制した良好な記録再生を実現する対物レンズ及び光ピックアップ光学系を提供する。【解決手段】波長λ１を有する第１の光束を第１の光記録媒体の情報記録面上に集光させ、かつ波長λ１よりも長い波長λ２を有する第２の光束を第２の光記録媒体の情報記録面に集光させ、かつλ２よりも長い波長λ３を有する第３の光束を第３の光記録媒体の情報記録面に集光させる対物レンズであって、対物レンズの少なくとも一方のレンズ面は、光軸を中心とした同心円状の複数の区間に分割され、対物レンズにおける第１の光束における結像倍率をｍ１、第２の光束における結像倍率をｍ２、第３の光束における結像倍率をｍ３としたときに、ｍ１＞ｍ２＞０、−０．０６０≦ｍ３≦−０．０２０とすることを特徴とする対物レンズ。【選択図】  図１
2008027475.tif 000002
【特許請求の範囲】
【請求項１】
波長λ１を有する第１の光束を第１の光記録媒体の情報記録面上に集光させ、かつ前記波長λ１よりも長い波長λ２を有する第２の光束を第２の光記録媒体の情報記録面に集光させ、かつ前記λ２よりも長い波長λ３を有する第３の光束を第３の光記録媒体の情報記録面に集光させる対物レンズであって、
前記対物レンズの少なくとも一方のレンズ面は、光軸を中心とした同心円状の複数の区間に分割され、
前記対物レンズにおける前記第１の光束における結像倍率をｍ１、前記第２の光束における結像倍率をｍ２、前記第３の光束における結像倍率をｍ３としたときに、
ｍ１＞ｍ２＞０、−０．０６０≦ｍ３≦−０．０２０
とすることを特徴とする対物レンズ。
【請求項２】
前記区間の境界に、段差を有することを特徴とする請求項１に記載の対物レンズ。
【請求項３】
前記対物レンズはアッベ数νｄが５０以上である材料によって形成されていることを特徴とする請求項１又は請求項２に記載の対物レンズ。
【請求項４】
前記材料は、プラスチック又はガラスであることを特徴とする請求項３に記載の対物レンズ。
【請求項５】
前記区間はそれぞれ異なる非球面形状を有することを特徴とする請求項１乃至請求項４のいずれか一項に記載の対物レンズ。
【請求項６】
前記区間の数は２以上１０以下であることを特徴とする請求項１乃至請求項５のいずれか一項に記載の対物レンズ。
【請求項７】
前記第１の光記録媒体の透明基板の厚さをｔ１、前記第２の光記録媒体の透明基板の厚さをｔ２、前記第３の光記録媒体の透明基板の厚さをｔ３としたときに、
ｔ１＝ｔ２＜ｔ３
とすることを特徴とする請求項１乃至請求項６のいずれか一項に記載の対物レンズ。
【請求項８】
前記λ１は３８０ｎｍ以上４３０ｎｍ以下であり、前記λ２は６３０ｎｍ以上６９０ｎｍ以下であり、前記λ３は７６０ｎｍ以上８１０ｎｍ以下であることを特徴とする請求項１乃至請求項７のいずれか一項に記載の対物レンズ。
【請求項９】
波長λ１を有する第１の光束を出射する第１の光源と、波長λ１よりも長い波長λ２を有する第２の光束を出射する第２の光源と、波長λ２よりも長い波長λ３を有する第３の光束を出射する第３の光源と、前記第１の光束を第１の光記録媒体の情報記録面上に集光させ、かつ前記第２の光束を第２の光記録媒体の情報記録面上に集光させ、かつ前記第３の光束を第３の光記録媒体の情報記録面上に集光させる対物レンズとを備えた光ピックアップ光学系であって、
前記対物レンズの少なくとも一方のレンズ面は、光軸を中心とした同心円状の複数の区間に分割され、
前記対物レンズにおける前記第１の光束における結像倍率をｍ１、前記第２の光束における結像倍率をｍ２、前記第３の光束における結像倍率をｍ３としたときに、
ｍ１＞ｍ２＞０、−０．０６０≦ｍ３≦−０．０２０
とすることを特徴とする光ピックアップ光学系。
【請求項１０】
前記第１の光源と前記対物レンズとの距離と、前記第２の光源と前記対物レンズとの距離とが略等しいことを特徴とする請求項９に記載の光ピックアップ光学系。
【請求項１１】
前記区間の境界に、段差を有することを特徴とする請求項９又は請求項１０に記載の光ピックアップ光学系。
【請求項１２】
前記対物レンズはアッベ数νｄが５０以上である材料によって形成されていることを特徴とする請求項９乃至請求項１１のいずれか一項に記載の光ピックアップ光学系。
【請求項１３】
前記材料は、プラスチック又はガラスであることを特徴とする請求項１２に記載の光ピックアップ光学系。
【請求項１４】
前記区間はそれぞれ異なる非球面形状を有することを特徴とする請求項９乃至請求項１３のいずれか一項に記載の光ピックアップ光学系。
【請求項１５】
前記区間の数は２以上１０以下であることを特徴とする請求項９乃至請求項１４のいずれか一項に記載の光ピックアップ光学系。
【請求項１６】
前記第１の光記録媒体の透明基板の厚さをｔ１、前記第２の光記録媒体の透明基板の厚さをｔ２、前記第３の光記録媒体の透明基板の厚さをｔ３としたときに、
ｔ１＝ｔ２＜ｔ３
とすることを特徴とする請求項９乃至請求項１５のいずれか一項に記載の光ピックアップ光学系。
【請求項１７】
前記λ１は３８０ｎｍ以上４３０ｎｍ以下であり、前記λ２は６３０ｎｍ以上６９０ｎｍ以下であり、前記λ３は７６０ｎｍ以上８１０ｎｍ以下であることを特徴とする請求項９乃至請求項１６のいずれか一項に記載の光ピックアップ光学系。
【請求項１８】
請求項１乃至請求項８に記載の対物レンズ又は請求項９乃至請求項１７に記載の光ピックアップ光学系を有する光ヘッド。
【請求項１９】
請求項１乃至請求項８に記載の対物レンズ又は請求項９乃至請求項１７に記載の光ピックアップ光学系を有する光ディスク装置
【発明の詳細な説明】
【技術分野】
【０００１】
本発明は、対物レンズ及び光ピックアップ光学系に関する。特に、複数種類の単色光を用いる多波長用光学系であって、種々の光記録媒体に対応できる互換型の記録再生装置に用いられる対物レンズ及び光ピックアップ光学系に関する。
【背景技術】
【０００２】
近年、青色レーザを用いた高密度光ディスク（Ｂｌｕ−ｒａｙ、ＨＤ−ＤＶＤ）が実用化され始めている。光ディスクの記録密度は、情報記録面に集光する光スポット径に依存する。この光スポット径は、λを光源から出射される光の波長、ＮＡを対物レンズの像側開口数として、λ／ＮＡに比例する。従って、光ディスクの高密度化は、光ピックアップ用レーザ光の短波長化及び対物レンズにおける高ＮＡ化により実現することができる。
【０００３】
このような青色レーザを用いた高密度光ディスク装置においては、ＣＤやＤＶＤなどの既存の光ディスクを記録・再生できるように、互換性を有している光ディスク装置であることが望ましい。このような互換性を有する光ディスク装置としては、それぞれの光ディスクに対応する光源を用いる必要がある。また、光ピックアップにおいても、光ディスクの種類毎に対物レンズを設け、使用する光ディスクの種類に応じて対物レンズを交換したり、光ディスクの種類毎に光ピックアップ装置を設け、使用する光ディスクの種類に応じて光ピックアップ装置を交換したりすることが考えられる。
【０００４】
しかしながら、コスト面や装置の小型化を実現するために、いずれの光ディスクにおいても同じ光ピックアップレンズが用いられる光ディスク装置であることが望ましい。かかる互換型光ディスク装置の例としては、特許文献１などがあげられる。
【０００５】
特許文献１においては、第１のディスクに対して、収差が低減されるように設計された対物レンズを備え、第２、第３のディスクに対しては、各光源から対物レンズまでの光路長を各々変化させた構成とすることで収差を低減、あるいは、ホログラム素子を用い、回折効果を利用し収差を低減することで、同じ対物レンズで全てのディスクに対して記録・再生を可能にしている。
【特許文献１】特開２０００−３４８３７６号公報
【発明の開示】
【発明が解決しようとする課題】
【０００６】
しかしながら、特許文献１においては以下の問題点を有している。それぞれの光ディスクに対して各光源から対物レンズまでの光路長差を設けた場合、光検出器もそれぞれの光ディスクに対応した光検出器が必要となり、複数の光検出器が必要となる。特許文献１にも記載されているように、光源、コリメートレンズ、及び対物レンズで構成される光ピックアップ装置を考える場合、第１のディスク、第２のディスクに対して、光源からコリメートレンズ入射面までの距離に応じて光路長差を設けるため、光検出器はそれぞれ別に用意しなければならない。例えば３種類のディスクの互換を考えた場合、光検出器は３個必要となる。これは、低コスト化、小型化の観点から考えると光検出器の数は少ない方が望ましいため、光検出器も共通のものを用いられるようにした方がよい。
【０００７】
さらに、トラッキング時の対物レンズシフトの問題がある。一般的に、対物レンズに対して平行光が入射する場合、トラッキングにより対物レンズが平行光に対して垂直にシフトしても収差はほとんど発生しない。しかしながら、各光源からコリメートレンズまでの光路長差によっては、対物レンズへの入射光は発散光又は収束光となるため、トラッキングにより対物レンズが光軸に対して垂直にシフトした場合、収差が生じてしまう。特許文献１では、ＣＤに対応する光源がコリメートレンズに入射される光に発散光を前提としているため、トラッキング時の対物レンズの光軸に対するシフトによって収差が生じてしまう。
【０００８】
また、ホログラム素子を用いることによって回折効果をひきおこさせる方法においては、回折効率の低下という問題が生じる。特にＨＤ−ＤＶＤ、ＤＶＤ、及びＣＤの互換では、使用波長域が広帯域（４００ｎｍ〜８００ｎｍ程度）になるため、ＨＤ−ＤＶＤとＤＶＤ、ＣＤそれぞれの回折効率の確保が困難となる。従って、ＨＤ−ＤＶＤ、ＤＶＤ、ＣＤ全てで高い光利用効率を得ることができないという問題点を有している。
【０００９】
本発明は、このような問題点を解決するためになされたものであり、複数種の光記録媒体に対し高光利用効率、且つ、トラッキング時の波面収差の劣化を抑制した良好な記録再生を実現する対物レンズ、および小型で低コストの光ピックアップ光学系を提供することを目的とする。
【課題を解決するための手段】
【００１０】
本発明の第１の態様に係る対物レンズにおいては、波長λ１を有する第１の光束を第１の光記録媒体の情報記録面上に集光させ、かつ前記波長λ１よりも長い波長λ２を有する第２の光束を第２の光記録媒体の情報記録面に集光させ、かつ前記λ２よりも長い波長λ３を有する第３の光束を第３の光記録媒体の情報記録面に集光させる対物レンズであって、前記対物レンズの少なくとも一方のレンズ面は、光軸を中心とした同心円状の複数の区間に分割され、前記対物レンズにおける前記第１の光束における結像倍率をｍ１、前記第２の光束における結像倍率をｍ２、前記第３の光束における結像倍率をｍ３としたときに、
ｍ１＞ｍ２＞０、−０．０６０≦ｍ３≦−０．０２０
とすることを特徴とするものである。このようにすることによって、第１の光束と第２の光束における収差を低減させ、且つ第３の光束における物体距離を長くすることができる。
【００１１】
本発明の第２の態様に係る対物レンズにおいては、上述の対物レンズであって、前記区間の境界に段差を有することを特徴とするものである。この段差によって、第１の光束を検知する光検出器と第２の光束を検知する光検出器とを同一のものにすることができる。本発明の第３の態様に係る対物レンズにおいては、上述の対物レンズであって、前記対物レンズはアッベ数νｄが５０以上である材料によって形成されていることを特徴とするものである。対物レンズのアッベ数を５０以上にすることによって、色分散を小さくすることができ、第１の光束及び第２の光束における収差を低減させるための段差を少なくすることができる。
【００１２】
本発明の第４の態様に係る対物レンズにおいては、第３の態様に係る対物レンズであって、前記材料は、プラスチック又はガラスであることを特徴とするものである。これは、対物レンズを容易に作成することができる。本発明の第５の態様に係る対物レンズにおいては、上述の対物レンズであって、前記区間はそれぞれ異なる非球面形状を有することを特徴とするものである。本発明の第６の態様に係る対物レンズにおいては、上述の対物レンズであって、前記区間の数は２以上１０以下であることを特徴とするものである。
【００１３】
本発明の第７の態様に係る対物レンズにおいては、上述の対物レンズであって、前記第１の光記録媒体の透明基板の厚さをｔ１、前記第２の光記録媒体の透明基板の厚さをｔ２、前記第３の光記録媒体の透明基板の厚さをｔ３としたときに、
ｔ１＝ｔ２＜ｔ３
とすることを特徴とするものである。本発明の第８の態様に係る対物レンズにおいては、上述の対物レンズであって、前記λ１は３８０ｎｍ以上４３０ｎｍ以下であり、前記λ２は６３０ｎｍ以上６９０ｎｍ以下であり、前記λ３は７６０ｎｍ以上８１０ｎｍ以下であることを特徴とするものである。
【００１４】
本発明の第９の態様に係る光ピックアップ装置においては、波長λ１を有する第１の光束を出射する第１の光源と、波長λ１よりも長い波長λ２を有する第２の光束を出射する第２の光源と、波長λ２よりも長い波長λ３を有する第３の光束を出射する第３の光源と、前記第１の光束を第１の光記録媒体の情報記録面上に集光させ、かつ前記第２の光束を第２の光記録媒体の情報記録面上に集光させ、かつ前記第３の光束を第３の光記録媒体の情報記録面上に集光させる対物レンズとを備えた光ピックアップ光学系であって、前記対物レンズの少なくとも一方のレンズ面は、光軸を中心とした同心円状の複数の区間に分割され、前記対物レンズにおける前記第１の光束における結像倍率をｍ１、前記第２の光束における結像倍率をｍ２、前記第３の光束における結像倍率をｍ３としたときに、
ｍ１＞ｍ２＞０、−０．０６０≦ｍ３≦−０．０２０
とすることを特徴とするものである。
【００１５】
本発明の第１０の態様に係る光ピックアップ光学系においては、上述の光ピックアップ光学系であって、前記第１の光源と前記対物レンズとの距離と、前記第２の光源と前記対物レンズとの距離とが略等しいことを特徴とするものである。このことによって、第１の光源からの第１の光束と第２の光源からの第２の光束とにおける収差を容易に低減することができる。本発明の第１１の態様に係る光ピックアップ光学系においては、上述の光ピックアップ光学系であって、前記区間の境界に段差を有することを特徴とするものである。本発明の第１２の態様に係る光ピックアップ光学系においては、上述の光ピックアップ光学系であって、前記対物レンズはアッベ数νｄが５０以上である材料によって形成されていることを特徴とするものである。本発明の第１３の態様に係る光ピックアップ光学系においては、第１２の態様に係る光ピックアップ光学系であって、前記材料は、プラスチック又はガラスであることを特徴とするものである。
【００１６】
本発明の第１４の態様に係る光ピックアップ光学系においては、上述の光ピックアップ光学系であって、前記区間はそれぞれ異なる非球面形状を有することを特徴とするものである。本発明の第１５の態様に係る光ピックアップ光学系においては、上述の光ピックアップ光学系であって、前記区間の数は２以上１０以下であることを特徴とするものである。
【００１７】
本発明の第１６の態様に係る光ピックアップ光学系においては、上述の光ピックアップ光学系であって、前記第１の光記録媒体の透明基板の厚さをｔ１、前記第２の光記録媒体の透明基板の厚さをｔ２、前記第３の光記録媒体の透明基板の厚さをｔ３としたときに、
ｔ１＝ｔ２＜ｔ３
とすることを特徴とするものである。本発明の第１７の態様に係る光ピックアップ光学系においては、上述の光ピックアップ光学系であって、前記λ１は３８０ｎｍ以上４３０ｎｍ以下であり、前記λ２は６３０ｎｍ以上６９０ｎｍ以下であり、前記λ３は７６０ｎｍ以上８１０ｎｍ以下であることを特徴とするものである。
【００１８】
本発明の第１８の態様に係る光ヘッドにおいては、第１の態様乃至第８の態様に係る対物レンズ又は第９の態様乃至第１７の態様に係る光ピックアップ光学系を有するものである。本発明の第１９の態様に係る光ディスク装置においては、第１の態様乃至第８の態様に係る対物レンズ又は第９の態様乃至第１７の態様に係る光ピックアップ光学系を有するものである。
【発明の効果】
【００１９】
本発明に係る対物レンズ及びその対物レンズを用いた光ピックアップ光学系によれば、複数種の光記録媒体に対し高光利用効率、且つ、トラッキング時の波面収差の劣化を抑制した良好な記録再生を実現する対物レンズ、および小型で低コストの光ピックアップ装置の提供が可能となる。
【発明を実施するための最良の形態】
【００２０】
以下、本発明を適用した具体的な実施の形態について、図面を参照しながら詳細に説明する。この実施の形態は、本発明を、対物レンズ及び光ピックアップ光学系に適用したものである。本実施の形態に係る対物レンズにおいては、第１の波長λ１のレーザ光と、λ１よりも長い第２の波長λ２のレーザ光と、λ２より長い第３の波長λ３のレーザ光において、λ１、λ２、λ３それぞれにおける結像倍率をｍ１、ｍ２、ｍ３として、ｍ１＞ｍ２＞０及び−０．０６０≦ｍ３≦−０．０２０としている。
【００２１】
このことにより、波長λ１と波長λ２のレーザ光を収束光として、波長λ３のレーザ光を発散光として対物レンズに入射する。このことによって、波長λ３における物体距離を長くすることができる。また、波長λ３における物体距離を長くすることによって、有限系におけるトラッキングサーボ等のときに生じる、斜入射による収差を低減することが可能となる。さらに、ｍ１＞ｍ２であることから、波長λ１のレーザ光と波長λ２のレーザ光における光記録媒体の記録面における収差を低減させることができる。
【００２２】
すなわち、本実施の形態に係る対物レンズにおいては、結像倍率を制御することによって収差を低減させ、それぞれの波長の光束における結像倍率を上述の範囲にすることによって、トラッキングサーボ等のときに生じる、斜入射による収差を低減させることができる。また、対物レンズの少なくとも一方のレンズ面が、光軸を中心とした同心円状の複数の区間に分割され、それぞれの区間の境界に段差を設けることによって、波長λ１と波長λ２の光束の光検出器を同一のものにすることができる。以下では、３種類の光ディスク、ＨＤ−ＤＶＤ、ＤＶＤ、及びＣＤを例にして説明する。
【００２３】
図１は本実施の形態に係る光ピックアップ光学系１の概略構成図である。図１に示す光ピックアップ光学系１は、ＨＤ−ＤＶＤ用光源１１、ＤＶＤ用光源１２、第１の光検出器を有するＣＤ用光源１３、第１のビームスプリッタ１４、第２のビームスプリッタ１５、第３のビームスプリッタ１６、発散角変換レンズ１７、開口制限素子１８、対物レンズ１９、ＨＤ−ＤＶＤディスク２０ａ、ＤＶＤディスク２０ｂ、ＣＤディスク２０ｃ、検出レンズ２１、第２の光検出器２２から構成されている。
【００２４】
ＨＤ−ＤＶＤ用光源１１は、波長３８０ｎｍ以上４３０ｎｍ以下の光束を発生する。また、ＤＶＤ用光源１２は、波長６３０ｎｍ以上６９０ｎｍ以下の光束を発生する。さらに、ＣＤ用光源１３は、波長７６０ｎｍ以上８１０ｎｍ以下の光束を発生する。なお、本発明は、この波長に限定されるものではない。また、ＣＤ用光源１３は、ＣＤ用光源１３から発振したレーザ光がＣＤディスク２０ｃを反射してきた光を検出する第１の光検出器を有している。
【００２５】
第１のビームスプリッタ１４は、ＨＤ−ＤＶＤ用光源１１とＤＶＤ用光源１２からの光を共通の光路に導くために設けられている。すなわち、図１に示されるように、ＨＤ−ＤＶＤ用光源１１からの光束は、第１のビームスプリッタ１４を透過し、ＤＶＤ用光源１２からの光束は第１のビームスプリッタ１４を反射することによって、共通の光路に導かれる。
【００２６】
また、第２のビームスプリッタ１５は、ＨＤ−ＤＶＤ用光源１１からの光束とＤＶＤ用光源１２からの光束とを透過し、ＨＤ−ＤＶＤ用光源１１からの光束がＨＤ−ＤＶＤディスク２０ａを反射した光束又はＤＶＤ用光源１２からの光束がＤＶＤディスク２０ｂを反射した光束を検出レンズ２１側に反射している。この第２のビームスプリッタ１５を反射した光束は、検出レンズ２１を透過して第２の光検出器２２によって検出される。
【００２７】
また、発散角変換レンズ１７は、第２のビームスプリッタ１５を透過した、ＨＤ−ＤＶＤ用光源１１からの光束とＤＶＤ用光源１２からの光束とを収束光とする。収束光とは、光束が伝播するに従って光束の幅が縮まる光束のことをいう。さらに、第３のビームスプリッタ１６は、ＣＤ用光源１３からの光束を反射して対物レンズ１９に入射させる。このとき、ＣＤ用光源１３からの光束は、発散光として対物レンズ１９に入射される。発散光とは、光束が伝播するに従って光束の幅が広がる光束のことをいう。また、この第３のビームスプリッタ１６は、ＣＤ用光源１３からの光束がＣＤディスク２０ｃを反射して戻ってきた光束を反射して、ＣＤ用光源１３内の第１の光検出器に入射する。
【００２８】
開口制限素子１８は、対物レンズ１９に入射される光束の実効開口数ＮＡを制限するものである。この開口制限素子１８は、入射される光束の波長によって実効開口数ＮＡが制御されるようになっている。ここで、実効開口数ＮＡは、有効径／（２×焦点距離）で表される。開口制限素子１８の例としては、光学フィルタ膜や回折格子を用いて、開口数を調整した波長選択フィルタが挙げられる。
【００２９】
本実施の形態に係る対物レンズ１９の概略構造図を図２に示す。図２（ａ）は、対物レンズ１９の正面図、図２（ｂ）は対物レンズ１９の断面図である。対物レンズ１９においては、少なくとも一方のレンズ面は、光軸を中心とした同心円上の複数の区間に分割されている。また、ＨＤ−ＤＶＤ用光源１１からの光束における結像倍率をｍ１、ＤＶＤ用光源１２からの光束における結像倍率をｍ２、ＣＤ用光源１３からの光束における結像倍率をｍ３としたときに、
ｍ１＞ｍ２＞０、−０．０６０≦ｍ３≦−０．０２０
としている。
【００３０】
ここで、結像倍率の符号は、収束有限系の場合を正とし、発散有限系の場合が負となる。すなわち、ＨＤ−ＤＶＤ用光源１１からの光束とＤＶＤ用光源１２からの光束は、ｍ１及びｍ２が正の数であることから収束光が対物レンズ１９に入射されることによって、ＨＤ−ＤＶＤディスク２０ａ又はＤＶＤディスク２０ｂの記録面に集光される。また、ＣＤ用光源１３からの光束は、ｍ３が負の数であることから対物レンズ１９に発散光が入射されることによって、ＣＤディスク２０ｃの記録面に集光される。
【００３１】
このように、ＨＤ−ＤＶＤ用光源１１からの光束とＤＶＤ用光源１２からの光束とが収束光で対物レンズ１９に入射されるために、ＣＤ用光源１３からの光束における物体距離を長くすることができる。ＣＤ用光源１３からの光束における物体距離が長くなると、平行光に近くなるため、トラッキング機構等によって生じる斜入射のときに発生する収差を低減させることができる。ここでいう収差を低減するとは、ＲＭＳ波面収差値がマレシャルの評価基準０．０７０λｒｍｓ以下、好ましくは０．０４０λｒｍｓ以下を指す。
【００３２】
また、本実施の形態に係る対物レンズ１９においては、ＨＤ−ＤＶＤ用光源１１からの光束における結像倍率とＤＶＤ用光源１２からの光束における結像倍率とを制御することによって収差を低減させている。すなわち、ｍ１＞ｍ２であることによって、収差を低減させている。ここでいう収差を低減するとは、ＲＭＳ波面収差値がマレシャルの評価基準０．０７０λｒｍｓ以下、好ましくは０．０４０λｒｍｓ以下を指す。
【００３３】
さらに、対物レンズ１９において、少なくとも一方のレンズ面が、光軸を中心とした同心円状の複数の区間に分割されており、この区間それぞれの境界には段差が設けられている。この段差によって、ＨＤ−ＤＶＤ用光源１１からの光束がＨＤ−ＤＶＤディスク２０ａを反射してきた光束を検出する光検出器と、ＤＶＤ用光源１２からの光束がＤＶＤディスク２０ｂを反射してきた光束を検出する光検出器とを同一のものとすることができる。
【００３４】
また、各区間はそれぞれ異なる曲率半径、非球面係数を有することが望ましい。このことによって、ＨＤ−ＤＶＤ用光源１１からの光束とＤＶＤ用光源１２からの光束とＣＤ用光源１３からの光束における収差をより低減させるように設計することができる。この実施例については後述する。
【００３５】
さらに、本実施の形態に係る対物レンズにおいては、アッベ数νｄが５０以上であるガラスやプラスチックを用いて作成されることが好ましい。これは、アッベ数νｄが５０より小さい値であると、波長の異なるレーザ光が対物レンズに入射されると、波長差による収差が大きくなってしまうからである。
【００３６】
収差低減のためには、対物レンズ上に設ける同心円状の区間数を増やさせなければならず、対物レンズの面形状が複雑となるので製造が困難となってしまう。また、対物レンズ上に設ける同心円状の区間数が増えると、各区間の境界での光量損失が増大し光利用効率の低下を招く。すなわち、本実施の形態に係る対物レンズ１９においては、アッベ数νｄを５０以上にすることによって対物レンズ１９上に設けられた区間の数を低減させることができる。また、ガラスやプラスチックを用いることによって容易に所望の形状に成形することができる。
【００３７】
さらに、対物レンズ１９上に設ける同心円状の区間数は、２以上１０以下であることが好ましい。これは、区間数をこの範囲にすることによって、光利用効率が高い対物レンズとすることができる。また、ＨＤ−ＤＶＤディスク２０ａの厚さをｔ１、ＤＶＤディスク２０ｂの厚さをｔ２、及びＣＤディスク２０ｃの厚さをｔ３としたとき、ｔ１＝ｔ２＜ｔ３とすることが望ましい。
【００３８】
また、本実施の形態に係る対物レンズを用いた光ピックアップ光学系においては、ＨＤ−ＤＶＤ用光源１１から対物レンズ１９までの距離とＤＶＤ用光源１２から対物レンズ１９までの距離とを略同一としている。このことによって、ＨＤ−ＤＶＤ用光源１１からの光がＨＤ−ＤＶＤディスク２０ａを反射してきた光を検出する光検出器とＤＶＤ用光源１２からのレーザ光がＤＶＤディスク２０ｂを反射してきた光を検出する光検出器を同一にすることを容易に行うことができる。このことによって、光検出器の数をＨＤ−ＤＶＤ用及びＤＶＤ用の光検出器である第１の検出器２２とＣＤ用の検出器である第２の検出器の２つにすることができる。このことは、コスト面及び光検出のためのアライメントの容易性等の理由から利点がある。
【００３９】
次に、それぞれの光源から発振したレーザ光の動きについて図１を用いて説明する。ＨＤ−ＤＶＤ用光源１１から照射された光束は、第１のビームスプリッタ１４を通過して第２のビームスプリッタ１５に入射される。また、ＤＶＤ用光源１２から照射された光束は、第１のビームスプリッタ１４を反射して、第２のビームスプリッタ１５に入射される。このときのＨＤ−ＤＶＤ用光源１１からの光束とＤＶＤ用光源１２からの光束は、共通の光路に導かれる。
【００４０】
また、このＨＤ−ＤＶＤ用光源１１からの光束とＤＶＤ用光源１２からの光束は、第２のビームスプリッタ１５を透過し発散角変換レンズ１７を入射される。このとき、ＨＤ−ＤＶＤ用光源１１からの光束とＤＶＤ用光源１２からの光束は、発散角変換レンズ１７によって収束光に変換される。これらの光束は、開口制限素子１８を通過することによって実効開口数ＮＡが制御され、対物レンズ１９に入射される。対物レンズ１９に入射された光束は、対物レンズ１９によって収束し、ＨＤ−ＤＶＤディスク２０ａ又はＤＶＤディスク２０ｂの情報記録面上に集光され、光スポットを形成する。
【００４１】
ＨＤ−ＤＶＤディスク２０ａ、ＤＶＤディスク２０ｂの情報記録面で反射された光束は再び、対物レンズ１９、開口制限素子１８、第３のビームスプリッタ１６、及び発散角変換レンズ１７を通過する。発散角変換レンズ１７を透過した光束は、第２のビームスプリッタ１５にて検出レンズ２１側に反射される。これらの光束は、検出レンズ２１を透過し、第２の光検出器２２で検出され、光電変換されることによりフォーカスサーボ信号、トラックサーボ信号、及び再生信号などを生成する。
【００４２】
また、ＣＤ用光源１３からの光束は、第３のビームスプリッタ１６によって反射され、開口制限素子１８に入射される。ＣＤ用光源１３からの光束は、開口制限素子１８によって実効開口数ＮＡが制御され、対物レンズ１９に入射される。このとき、ＨＤ−ＤＶＤ用光源１１からの光束やＤＶＤ用光源１２からの光束と共通の光路に導かれる。このとき、対物レンズ１９に入射される光束は発散光となる。対物レンズ１９に入射された光束は、対物レンズ１９によって収束し、ＣＤディスク２０ｃの情報記録面上に集光され、光スポットを形成する。
【００４３】
ＣＤディスク２０ｃの情報記録面で反射された光束は再び、対物レンズ１９、及び開口制限素子１８を通過する。開口制限素子１８を通過した光束は、第３のビームスプリッタ１６によってＣＤ用光源１３側に反射される。この光束は、ＣＤ用光源１３内の第１の光検出器によって検出され、光電変換されることによりフォーカスサーボ信号、トラックサーボ信号、及び再生信号などを生成する。
【００４４】
以下、上述した実施形態に基づき、本発明による対物レンズ及び光ピックアップ光学系の実施例について説明する。
【００４５】
実施例１．
まず、本実施例の対物レンズにおけるレンズデータを図３に示す。図３（ａ）は、ＨＤ−ＤＶＤの場合である。図３（ｂ）はＤＶＤの場合である。図３（ｃ）はＣＤの場合である。また、本実施例においては、対物レンズ１９をアッベ数νｄ＝５７のプラスチックで作成した。絞り面は、開口制限素子１８が位置する面に相当する。さらに、ディスク光源側面が光ディスク２０における表面に相当し、ディスク記録面は、光ディスク２０内の情報が記録される面である。図３においては、それぞれの面について、曲率半径、面間距離、次の面との間の材質、及び屈折率が記述されている。
【００４６】
ＨＤ−ＤＶＤ、ＤＶＤ、及びＣＤにおける結像倍率ｍ１、ｍ２、ｍ３はそれぞれｍ１＝０．０４２７、ｍ２＝０．０３８０、ｍ３＝−０．０４４６であり、上述の実施の形態における対物レンズの条件である、ｍ１＞ｍ２＞０、及び−０．０６０＜ｍ３＜−０．０２０を満たしている。ここで、倍率の符号は光源から絞り面までの面間隔が負、いわゆる収束有限系の場合を正とし、光源から絞り面までの面間隔が正、いわゆる発散有限系の場合が負となる。
【００４７】
また、図３に示されたレンズデータに基づいて設計された対物レンズ１９のレンズ面における非球面形状を、下記の式で表している。
【数１】
2008027475.tif 000003
式（１）において、光軸からの高さがｈとなる非球面上の座標点における非球面の光軸上での接平面からの距離（サグ量）をＺｊ（ｈ）、非球面の光軸上での曲率（１／曲率半径）をＣ、コーニック係数をＫ、４次から１６次までの非球面係数をそれぞれＡ４、Ａ６、Ａ８、Ａ１０、Ａ１２、Ａ１４、Ａ１６、としている。また、Ｂは、光軸上のサグ量を示している。
【００４８】
本実施例における対物レンズ１９の光源１１〜１３側のレンズ面と光ディスク２０側のレンズ面における非球面形状を上述の式で示す係数表を図４に示す。対物レンズ１９の光源１１〜１３側のレンズ面においては、３つの区間に分割されている。この３つの区間は、輪帯状に設けられており、それぞれの区間における輪帯の位置も記述されている。また、各区間の曲率半径Ｒ（１／Ｃ）、非球面係数は異なっており、ＨＤ−ＤＶＤ、ＤＶＤで共に波面収差が低減されるよう設定されている。このようにすることによって、各区間の境界における光利用効率の低下を可及的に抑える構成とした。
【００４９】
図５に本実施例における対物レンズを用いた場合のＨＤ−ＤＶＤ、ＤＶＤ、ＣＤの波面収差図を示す。図５（ａ）はＨＤ−ＤＶＤにおける波面収差分布の計算結果である。図５（ｂ）はＤＶＤにおける波面収差分布の計算結果である。図５（ｃ）はＣＤにおける波面収差分布の計算結果である。図５においては、横軸は有効開口数ＮＡであり、縦軸は上述の波面収差である。図５に示されるように、ＨＤ−ＤＶＤにおけるＲＭＳ波面収差値は０．０３０４λｒｍｓ、ＤＶＤにおけるＲＭＳ波面収差値は０．０３２０λｒｍｓ、ＣＤにおけるＲＭＳ波面収差値は０．０１３５λｒｍｓとなる。従って、マレシャルの評価基準値０．０７０λｒｍｓ、さらに好ましい０．０４０λｒｍｓを下回っており、いずれも充分に波面収差が低減されていることがわかる。
【００５０】
トラッキング時の対物レンズシフト０．３ｍｍのＲＭＳ波面収差値（（）内はＣＯＭＡ３）はＨＤ−ＤＶＤのときに０．０３１２（０．００１７）λｒｍｓ、ＤＶＤのときに０．０３４８（０．０１３０）λｒｍｓ、ＣＤのときに０．０４５１（０．０４４１）λｒｍｓとなり、いずれもマレシャルの評価基準値０．０７０λｒｍｓを下回っている。
【００５１】
次に、本実施例における対物レンズにおいて、ＨＤ−ＤＶＤ用光源１１からの光とＤＶＤ用光源１２からの光とに注目して、光ピックアップ光学系における検出器を同一にした場合の波面収差図を計算する。ＨＤ−ＤＶＤとＤＶＤとにおいて、検出器を同じにするために、光源から発散角変換レンズ面までの距離を同一としている。図６は本実施例における対物レンズを搭載したＨＤ−ＤＶＤ、ＤＶＤ光ピックアップ光学系の概略図である。この光学系においては、ＨＤ−ＤＶＤ用光源１１、ＤＶＤ用光源１２、第１のビームスプリッタ１４、発散角変換レンズ１７、開口制限素子１８、対物レンズ１９、ＨＤ−ＤＶＤディスク２０ａ、ＤＶＤディスク２０ｂから構成されている。
【００５２】
このＨＤ−ＤＶＤ、ＤＶＤ光ピックアップ光学系における構成を示す表が図７であり、発散角変換レンズ１７における非球面データが図８である。図７においては、それぞれの面における曲率半径、次の面までの面間距離、次の面との間の材質、その材質における屈折率が記述されている。また、図８においては、発散角変換レンズ１７の光源１１、１２側と光ディスク２０ａ、２０ｂ側における、上述した式（１）における非球面係数、コーニック係数Ｋ、曲率半径Ｒが記述されている。
【００５３】
図８に示されるように、光源から発散角変換レンズ面までの距離はＨＤ−ＤＶＤ、ＤＶＤで同じとしている。これにより、ＨＤ−ＤＶＤとＤＶＤの検出器の共通化が可能となる。図９にこのピックアップ光学系におけるＨＤ−ＤＶＤ、ＤＶＤの波面収差図を示す。図９（ａ）はＨＤ−ＤＶＤにおける波面収差分布の計算結果である。図９（ｂ）はＤＶＤにおける波面収差分布の計算結果である。ＨＤ−ＤＶＤにおけるＲＭＳ波面収差値は０．０３０５λｒｍｓ、ＤＶＤにおけるＲＭＳ波面収差値は、０．０３１６λｒｍｓとなる。このＲＭＳ波面収差値は、マレシャルの評価基準値０．０７０λｒｍｓ、さらに好ましい０．０４０λｒｍｓを下回っており、いずれも充分に波面収差が低減されていることがわかる。
【００５４】
実施例２．
まず、本実施例の対物レンズにおけるレンズデータを図１０に示す。図１０（ａ）は、ＨＤ−ＤＶＤの場合である。図１０（ｂ）はＤＶＤの場合である。図１０（ｃ）はＣＤの場合である。また、本実施例においては、対物レンズ１９をアッベ数νｄ＝５７のプラスチックで作成した。絞り面は、開口制限素子１８が位置する面に相当する。さらに、ディスク光源側面が光ディスク２０における表面に相当し、ディスク記録面は、光ディスク２０内の情報が記録される面である。図３においては、それぞれの面について、曲率半径、面間距離、次の面との間の材質、及び屈折率が記述されている。
【００５５】
本実施例の対物レンズはＨＤ−ＤＶＤとＤＶＤのＮＡが共に０．６５となっており、ＨＤ−ＤＶＤの有効領域外にＤＶＤに対してのみ収差が低減されるような区間を設ける構成とした。すなわち、本実施例における対物レンズは４つの輪帯に分けられており、ＨＤ−ＤＶＤ用光源からの光束における有効領域を内から３つの輪帯とし、ＤＶＤ用光源からの光束における専用領域に最外部の輪帯を用いている。
【００５６】
ＨＤ−ＤＶＤ、ＤＶＤ、ＣＤの結像倍率ｍ１、ｍ２、ｍ３はそれぞれｍ１＝−０．０４６９、ｍ２＝−０．０４１８、ｍ３＝０．０４２９であり、上述の実施の形態における対物レンズの条件である、ｍ１＞ｍ２＞０、及び−０．０６０＜ｍ３＜−０．０２０を満たしている。
【００５７】
本実施例における対物レンズ１９の光源１１〜１３側のレンズ面と光ディスク２０側のレンズ面における非球面形状を上述の式で示す係数表を図１１に示す。対物レンズ１９の光源１１〜１３側のレンズ面においては、４つの区間に分割されている。この４つの区間は、輪帯状に設けられており、それぞれの区間における輪帯の位置も記述されている。また、各区間の曲率半径Ｒ（１／Ｃ）、非球面係数は異なっており、ＨＤ−ＤＶＤ、ＤＶＤで共に波面収差が低減されるよう設定されている。さらに、本実施例においては第１〜３区間はＨＤ−ＤＶＤ、ＤＶＤで共に波面収差が低減され、第４区間は上述したように、ＤＶＤに対してのみ波面収差が低減されるように設定されている。実施例２の対物レンズの区間数は４であり、各区間の境界における光利用効率の低下を可及的に抑える構成とした。
【００５８】
図１２に本実施例における対物レンズを用いた場合のＨＤ−ＤＶＤ、ＤＶＤ、ＣＤの波面収差図を示す図１２（ａ）はＨＤ−ＤＶＤにおける波面収差分布の計算結果である。図１２（ｂ）はＤＶＤにおける波面収差分布の計算結果である。図１２（ｃ）はＣＤにおける波面収差分布の計算結果である。図１２においては、横軸は有効開口数ＮＡであり、縦軸は上述の波面収差である。図１２に示されるように、ＨＤ−ＤＶＤにおけるＲＭＳ波面収差値は０．０３２４λｒｍｓ、ＤＶＤにおけるＲＭＳ波面収差値は０．０２７６λｒｍｓ、ＣＤにおけるＲＭＳ波面収差値は０．０１４５λｒｍｓとなる。従って、マレシャルの評価基準値０．０７０λｒｍｓ、さらに好ましい０．０４０λｒｍｓを下回っており、いずれも充分に波面収差が低減されていることがわかる。
【００５９】
トラッキング時の対物レンズシフト０．３ｍｍのＲＭＳ波面収差値（（）内はＣＯＭＡ３）はＨＤ−ＤＶＤのときに０．０３３１（０．０００８）λｒｍｓ、ＤＶＤのときに０．０３８２（０．０１６９）λｒｍｓ、ＣＤのときに０．０４１６（０．０３８５）λｒｍｓとなり、いずれもマレシャルの評価基準値０．０７０λｒｍｓを下回っている。
【００６０】
次に、本実施例における対物レンズにおいて、ＨＤ−ＤＶＤ用光源１１からの光とＤＶＤ用光源１２からの光とに注目して、光ピックアップ光学系における検出器を同一にした場合の波面収差図を計算する。ＨＤ−ＤＶＤとＤＶＤとにおいて、検出器を同じにするために、光源から発散角変換レンズ面までの距離を同一としている。このときの光ピックアップ光学系の概略図は実施例１と同じ図６である。
【００６１】
このＨＤ−ＤＶＤ、ＤＶＤ光ピックアップ光学系における構成を示す表が図１３であり、発散角変換レンズ１７における非球面データが図１４である。図１３においては、それぞれの面における曲率半径、次の面までの面間距離、次の面との間の材質、その材質における屈折率が記述されている。また、図１４においては、発散角変換レンズ１７の光源１１、１２側と光ディスク２０ａ、２０ｂ側における、上述した式（１）における非球面係数、コーニック係数Ｋ、曲率半径Ｒが記述されている。
【００６２】
図１３に示されるように、光源から発散角変換レンズ面までの距離はＨＤ−ＤＶＤ、ＤＶＤで同じとしている。これにより、ＨＤ−ＤＶＤとＤＶＤの検出器の共通化が可能となる。図１５にこのピックアップ光学系におけるＨＤ−ＤＶＤ、ＤＶＤの波面収差図を示す。図１５（ａ）はＨＤ−ＤＶＤにおける波面収差分布の計算結果である。図１５（ｂ）はＤＶＤにおける波面収差分布の計算結果である。ＨＤ−ＤＶＤにおけるＲＭＳ波面収差値は０．０３２４λｒｍｓ、ＤＶＤにおけるＲＭＳ波面収差値は、０．０３４６λｒｍｓとなる。このＲＭＳ波面収差値は、マレシャルの評価基準値０．０７０λｒｍｓ、さらに好ましい０．０４０λｒｍｓを下回っており、いずれも充分に波面収差が低減されていることがわかる。
【００６３】
ここで、従来における対物レンズを用いた場合の比較例を示す。比較例の対物レンズにおけるレンズデータを図１６に示す。図１６（ａ）は、ＨＤ−ＤＶＤの場合である。図１６（ｂ）はＤＶＤの場合である。図１６（ｃ）はＣＤの場合である。図１７には比較例における対物レンズの非球面データを示す。
【００６４】
本比較例の対物レンズはレンズ面光源側、及びレンズ面ディスク側共に単一非球面とし、倍率を、ＨＤ−ＤＶＤ、ＤＶＤ、ＣＤそれぞれで波面収差が最小となるように設定した。ＨＤ−ＤＶＤ、ＤＶＤ、ＣＤの倍率ｍ１、ｍ２、ｍ３はそれぞれｍ１＝０．０００、ｍ２＝−０．０２２４、ｍ３＝−０．０９３６であり、上述の実施の形態における対物レンズの条件である、ｍ１＞ｍ２＞０、及び−０．０６０＜ｍ３＜−０．０２０を満足していない。
【００６５】
ＲＭＳ波面収差値を求めると、ＨＤ−ＤＶＤにおけるＲＭＳ波面収差値は０．０００８λｒｍｓ、ＤＶＤにおけるＲＭＳ波面収差値は０．００４２λｒｍｓ、ＣＤにおけるＲＭＳ波面収差値は０．００１６λｒｍｓとなり、いずれもマレシャルの評価基準値０．０７０λｒｍｓ以下となっている。
【００６６】
ところが、トラッキング時の対物レンズシフト０．３ｍｍ波面収差値はＣＤで０．０８９８λｒｍｓとなり、マレシャルの評価基準値０．０７０λｒｍｓを超えてしまう。すなわち、トラッキング時において対物レンズがシフトしてしまうと、レンズによる収差が大きくなってしまう。
【００６７】
次に、本比較例の対物レンズを搭載したＨＤ−ＤＶＤ、ＤＶＤ光ピックアップ光学系の構成を図１８、発散角変換レンズの非球面データを図１９に示す。図１９に示すように、光源からコリメーターレンズ面までの距離はＨＤ−ＤＶＤ、ＤＶＤで同じとした。これにより、ＨＤ−ＤＶＤとＤＶＤで検出器の共通化が可能となる。ところが、このピックアップ光学系におけるＲＭＳ波面収差値は、ＨＤ−ＤＶＤの場合が０．０００９λｒｍｓであり、ＤＶＤの場合が０．１１８５λｒｍｓとなる。このＤＶＤでマレシャルの評価基準値０．０７０λｒｍｓを超えてしまう。
【００６８】
以上のことから、対物レンズの少なくとも一方のレンズ面は、光軸を中心とした同心円状の複数の区間に分割し、対物レンズにおけるＨＤ−ＤＶＤ、ＤＶＤ、ＣＤにおける結像倍率をｍ１、ｍ２、ｍ３としたときに
ｍ１＞ｍ２＞０、−０．０６０≦ｍ３≦−０．０２０
とすることによって、トラッキング時の波面収差の劣化を抑制することが可能となる。また、倍率を上述の範囲にすることによって、複数種の光記録媒体に対し高光利用効率に、かつ収差を抑制して用いることができる対物レンズを提供することができる。
【００６９】
なお、本発明は上述した実施の形態のみに限定されるものではなく、本発明の要旨を逸脱しない範囲において種々の変更が可能であることは勿論である。
【図面の簡単な説明】
【００７０】
【図１】実施の形態１における光ピックアップ光学系の概略構成図である。
【図２】実施の形態１における対物レンズの概略構造図である。
【図３】実施例１の対物レンズにおけるレンズデータである。
【図４】実施例１の対物レンズにおける光源側のレンズ面と光ディスク側のレンズ面における非球面データである。
【図５】実施例１の対物レンズを用いた場合のＨＤ−ＤＶＤ、ＤＶＤ、ＣＤの波面収差図である。
【図６】実施例の対物レンズを搭載したＨＤ−ＤＶＤ、ＤＶＤ光ピックアップ光学系の概略構成図である。
【図７】実施例１のＨＤ−ＤＶＤ、ＤＶＤ光ピックアップ光学系における構成を示す表である。
【図８】実施例１の発散角変換レンズにおける非球面データである。
【図９】実施例１の光ピックアップ光学系におけるＨＤ−ＤＶＤ、ＤＶＤの波面収差図である。
【図１０】実施例２の対物レンズにおけるレンズデータである。
【図１１】実施例２の対物レンズにおける光源側のレンズ面と光ディスク側のレンズ面における非球面データである。
【図１２】実施例２の対物レンズを用いた場合のＨＤ−ＤＶＤ、ＤＶＤ、ＣＤの波面収差図である。
【図１３】実施例２のＨＤ−ＤＶＤ、ＤＶＤ光ピックアップ光学系における構成を示す表である。
【図１４】実施例２の発散角変換レンズにおける非球面データである。
【図１５】実施例２の光ピックアップ光学系におけるＨＤ−ＤＶＤ、ＤＶＤの波面収差図である。
【図１６】比較例の対物レンズにおけるレンズデータである。
【図１７】比較例の対物レンズにおける光源側のレンズ面と光ディスク側のレンズ面における非球面データである。
【図１８】比較例のＨＤ−ＤＶＤ、ＤＶＤ光ピックアップ光学系における構成を示す表である。
【図１９】比較例の発散角変換レンズにおける非球面データである。
【符号の説明】
【００７１】
１  光ピックアップ光学系
１１  ＨＤ−ＤＶＤ用光源  １２  ＤＶＤ用光源  １３  ＣＤ用光源
１４  第１のビームスプリッタ  １５  第２のビームスプリッタ
１６  第３のビームスプリッタ  １７  発散角変換レンズ  １８  開口制限素子
１９  対物レンズ  ２０  光ディスク  ２０ａ  ＨＤ−ＤＶＤディスク
２０ｂ  ＤＶＤディスク  ２０ｃ  ＣＤディスク  ２１  検出レンズ
２２  第２の光検出器 
【図１】
2008027475.tif 000004
【図２】
2008027475.tif 000005
【図３】
2008027475.tif 000006
【図４】
2008027475.tif 000007
【図５】
2008027475.tif 000008
【図６】
2008027475.tif 000009
【図７】
2008027475.tif 000010
【図８】
2008027475.tif 000011
【図９】
2008027475.tif 000012
【図１０】
2008027475.tif 000013
【図１１】
2008027475.tif 000014
【図１２】
2008027475.tif 000015
【図１３】
2008027475.tif 000016
【図１４】
2008027475.tif 000017
【図１５】
2008027475.tif 000018
【図１６】
2008027475.tif 000019
【図１７】
2008027475.tif 000020
【図１８】
2008027475.tif 000021
【図１９】
2008027475.tif 000022